(57)【要約】【課題】電池状態表示可能な電力供給装置を提供する。【解決手段】電力供給装置は筐体3、電気式電力供給ユニット4、駆動ユニット5、電池状態表示ユニット6を含む。電気式電力供給ユニット4は筐体3内に設けられ、電池ユニット41の状態を監視できる処理器ユニット45を含む。駆動ユニット5は筐体内に設けられ、工具ビット2と接続され、また電気式電力供給ユニット4と電気的に接続される。処理器ユニット45は駆動ユニット5の駆動を制御する。電池状態表示ユニット6は筐体に設置され、処理器ユニット45に制御され、筐体3の外に見られる光を発し、処理器ユニット45に監視されるときに電池ユニット41の状態を可視的に表示する。【選択図】図2
0003119778.tif 000002
【実用新案登録請求の範囲】
【請求項１】
筐体と、
前記筐体内に設けられ、電池ユニットと電気的に接続され、当該電池ユニットの状態を監視可能な処理器ユニットを含む電池式電力供給ユニットと、
前記筐体内に設けられ、工具ビットと接続され、前記電池式電力供給ユニットと電気的に接続され、駆動動作が前記処理器ユニットに制御される駆動ユニットと、
前記筐体に設けられ、前記電池式電力供給ユニットと電気的に接続され、前記処理器ユニットに制御され、前記処理器ユニットに監視されるときに、前記筐体の外部から観察できるように前記電池ユニットの状態を表示する電池状態表示ユニットと、
を有する、
電力供給装置。
【請求項２】
前記電力供給ユニットは前記処理器ユニットと電気的に接続される充電器を更に含み、当該充電器は前記電池ユニットを電気的に接続され、前記電池ユニットを充電でき、
前記処理器ユニットは、前記充電器の充電動作を監視する、
請求項１に記載の電力供給装置。
【請求項３】
前記電池状態表示ユニットは、
透光材料からなり、前記筐体に操作可能に設置されるボタンを含み、前記処理器ユニットと電気的に接続され、前記処理器ユニットをイネイブルし、前記駆動ユニットの駆動操作を制御するユーザ操作ユニットと、
前記筐体内に設けられ、前記処理器ユニットと電気的に接続され、前記ボタンへ向う光を発するように前記処理器ユニットに制御されるランプ・ユニットと、
を有する、
請求項2に記載の電力供給装置。
【請求項４】
前記電池式電力供給ユニットは、
前記処理器ユニットと電気的に接続され、前記充電器への入力パワー信号を検出する入力パワー検出器と、
前記処理器ユニットと電気的に接続され、前記電池ユニットの電圧を検出する電池電圧検出器と、
を更に有し、
前記処理器ユニットは、前記に入力パワー検出器と前記電池電圧検出から受け取った検出信号を基づき、前記ランプ・ユニットを制御する、
請求項3に記載の電力供給装置。
【請求項５】
前記処理器ユニットは、前記ランプ・ユニットを制御し、前記電池ユニットの残量が十分である場合、前記ボタンが手動で操作されたときに、所定の期間内に連続的な光を発し、
前記処理器ユニットは、前記ランプ・ユニットを制御し、前記電池ユニットの残量が不十分である場合、前記ボタンが手動で操作されたときに、所定の回数でフラッシュする光を発する、
請求項4に記載の電力供給装置。
【請求項６】
前記処理器ユニットは、前記ランプ・ユニットを制御し、前記充電器の充電が失敗したときにブリンク・ライトを発する、
請求項5に記載の電力供給装置。
【請求項７】
前記処理器ユニットは、前記電池ユニットの電圧に異常に大幅な増加を検出し、前記充電器の充電が失敗すると判断する、
請求項6に記載の電力供給装置。
【請求項８】
前記処理器ユニットは、前記充電器を制御し、前記電池電圧検出器に検出された電池電圧により快速充電モードと間欠充電モードのうち、一つのモードで稼動する、
請求項4に記載の電力供給装置。
【請求項９】
前記処理器ユニットは、前記電池電圧検出器に検出される電圧値に基づき、前記駆動ユニットの駆動動作を制御する、
請求項4に記載の電力供給装置。
【請求項１０】
前記ランプ・ユニットは、
前記処理器ユニットと電気的に接続されるランプ・ドライバーと、
それぞれ前記ランプ・ドライバーと電気的に接続され、異なる色の光を発する第一と第二の発光ダイオードと、
を有する、
請求項3に記載の電力供給装置。
【考案の詳細な説明】
【技術分野】
【０００１】
本考案は、電力供給装置に関し、具体的に、電池状態表示可能な電力供給装置に関する。
【背景技術】
【０００２】
動く工具ビット（例えば、ドリル用ビット、ねじ回しビット、ソケット、鋸刃、せん断刃など）を駆動する電池式の電力供給装置が知られている。
【０００３】
適当なときに電池ユニットの充電を行う必要があることを表示でき、充電中でも電池ユニットの状態を表示でき、また、電池ユニットが壊れたときに電池ユニットを交換する必要があることを表示できる電池状態表示可能な電力供給装置を提供することが望ましい。
【考案の開示】
【考案が解決しようとする課題】
【０００４】
本考案の目的は、電池状態表示可能な電力供給装置を提供することにある。
【課題を解決するための手段】
【０００５】
前述の目的を達成するために、本考案の電力供給装置は、筐体、電池式電力供給ユニット、駆動ユニット及び電池状態表示ユニットを含む。
【０００６】
筐体内に設置される電池式電力供給ユニットは、電池ユニットと接続され、また、電池ユニットの状態を監視可能な処理器ユニットを含む。
【０００７】
筐体内に設置される駆動ユニットは、工具ビットと接続され、また、電池式電力供給ユニットと電気的に接続される。処理器ユニットは、駆動ユニットの駆動操作を制御する。
【０００８】
筐体に設けられる電池状態表示ユニットは、電池式電力供給ユニットを電気的に接続され、また、処理器ユニットに制御され、筐体の外に見られる光を発し、処理器ユニットに監視されるときに電池ユニットの状態を可視的に表示する。
【考案の効果】
【０００９】
本考案は、電池状態表示可能な電力供給装置を提供する。
【考案を実施するための最良の形態】
【００１０】
次に、添付した図面を参照しながら、本考案の好適な実施形態を詳細に説明する。なお、以下の説明では、図面中の同じ要素が同じ参照番号で表示される。
【００１１】
図1から図3は、本考案の第一の好適な実施形態を示す図である。本実施形態の電力供給装置は、図1から図3に示すように、工具ビット2（例えば、ドリル用ビット、ねじ回しビット、ソケット、鋸刃、せん断刃など）を駆動し、本実施形態では、具体的にねじ回しビットを用いて本考案の電力供給装置を説明する。本考案の電力供給装置は、筐体3、筐体3内に設けられる電池式電力供給ユニット4、筐体3内に設けられる駆動ユニット5、筐体3に設置される電池状態表示ユニット及び筐体3に設置される補助ランプ7を含む。
【００１２】
筐体3は、本実施形態において、一般的なL状の銃状筐体であり、垂直に延伸するハンドル部分31と、ハンドル部分31の上端から前に延伸する銃身部分32とを含む。
【００１３】
電力供給ユニット4は、ハンドル部分31に格納される電池ユニット41と電気的に接続され、電池ユニット41の状態を監視可能な処理器ユニット45と、充電器42と、入力パワー検出器43と、電圧検出器44を含む。処理器ユニット45と電気的に接続される充電器42は、電池ユニットと電気的に接続され、また、電池ユニット41を充電することができる。本実施形態において、処理器ユニット45は、充電器42の充電動作を監視することができる。入力パワー検出器43は、処理器ユニット45と電気的に接続され、充電器42への入力動力信号を検出する。入力パワー検出器43は充電器42への入力動力信号を検出するときに、処理器ユニット45は、充電器42をイネイブルし、電池ユニット41を充電する。電圧検出器44は、処理器ユニット45と電気的に接続され、電池ユニット41の電圧を検出する。本実施形態において、処理器ユニット45は、充電器42が電圧検出器に検出された電圧に基づいて快速充電モードと間欠充電モードのうちどちらかのモードで動作することを更に制御する。例えば、電池ユニット41の電圧は所定のレベルより小さいときに、充電器42は快速充電モードで動作する。一方、電池ユニット41の電圧は所定のレベルに達するときに、電池充電器42は、間欠充電モードで動作し、3秒間の間隔で0.2秒間の充電を行う。本実施形態において、電池ユニット41は、3.6Vのリチウム電池であり、処理器ユニット45は、デジタル・シグナル・プロセッサである。
【００１４】
工具ビット2と電気的に接続される駆動ユニット5は、電力供給ユニット4と電気的に接続される。処理器ユニット45は、駆動ユニット5の駆動動作を制御する。駆動ユニット5は、筐体3の銃身部分32に設置されるモータ51と、モータ51と電池ユニットとの間にシリアルに接続される方向制御スイッチ52と、モータ51に接続され、駆動され、工具ビットと接続されるギア・セット53とを含む。スイッチ52は、モータ51の極性接続を変更し、工具ビットの回転方向を変更できる。
【００１５】
電力供給ユニット4と接続される電池状態表示ユニット6は、処理器ユニット45に制御され、筐体3の外に見られる光を発し、処理器ユニット45に監視されるときに電池ユニット41の状態を可視的に表示する。本実施形態において、電池状態表示ユニット6は、ユーザ操作ユニット61とランプ・ユニット62を含む。好ましくは、ユーザ操作ユニット61は、透光材料からなるボタンを含み、筐体3のハンドル部分31を操作できるように設けられる銃のトリガーの形状である。ユーザ操作ユニット61は、処理器ユニット45と電気的に接続され、ボタンの手操作により処理器ユニット45をイネイブルし、駆動ユニット5の駆動動作を制御する。ランプ・ユニット62は、筐体3内に設けられ、処理器ユニット45に電気的に接続され、制御され、ボタンへ向う光を発する。本実施形態において、処理器ユニット45は、入力パワー検出器43と電圧検出器44からの検出信号に基づいて、ランプ・ユニット62の動作を制御する。本実施形態において、ランプ・ユニット62は、処理器ユニット45と電気的に接続されるランプ・ドライバー621と、それぞれランプ・ドライバー621と電気的に接続され、異なる色の光を発することができる第一と第二の発光ダイオード622とを含む。本実施形態において、第一と第二の発光ダイオード622は、それぞれ赤色と青色の光を発する。他の実施形態において、第一と第二の発光ダイオード622は、一つのライト・バルブあるいは一つの発光ダイオードに取り替えられても良い。
【００１６】
補助ランプ7は、筐体3の銃身部分32に設けられ、処理器ユニット4と電気的に接続される。駆動ユニット5は工具ビット2の回転を駆動するときに、補助ランプ7は起動され、工具ビット2の作業領域に照明を提供する。
【００１７】
本実施形態において、入力パワー検出器43と電池電圧検出器44により、処理器ユニット45は、電池ユニット41及び充電器42の充電状態を監視し、電池状態表示ユニット6を制御して電池ユニット42の状態及び／または電池充電器42の充電の進行状態を可視的に表示する光を発する。例えば、電池ユニット41は充電器42に充電されるときに、処理器ユニット45は、ランプ・ユニット62を制御し、快速充電モードでれば、充電中に連続的な光を発し、また、間欠充電モード（例えば、3秒間毎に0.2秒間オンする）であれば、充電中にのろいフラッシュ・ライトを発する。のろいフラッシュ・ライトは、入力パワー検出器43が入力パワーの信号を検出できるまでにフラッシュし続ける。
【００１８】
電池ユニット41の電圧は、電池ユニット41の残量が十分であることを示す静的な所定値（例えば2.75V）より高い場合、ユーザ操作ユニット61のボタンが手動で操作されたときに、処理器ユニット45は、駆動ユニット5の駆動をイネイブルするほかに、ランプ・ユニット62と補助ランプ7を更にオンし、光を連続的に発する。約30秒間の所定期間後に、処理器ユニット45は、電池のパワーを節約するためにランプ・ユニット62をオフする。その後、電池ユニット41の電圧は、電池ユニット41の残量が不十分であることを示す動な所定値（例えば、2.45V）以下に落ちた場合、ユーザ操作ユニット61のボタンが手動で操作されたときに、処理器ユニット45は、駆動ユニット5と補助ランプ7をオフし、ランプ・ユニット62を所定の回数（例えば2回）でフラッシュするように制御し、電池ユニット41を充電する必要があることを表示する。
【００１９】
本実施形態の電力供給装置は、壊れた電池ユニット41によって充電器の充電が失敗することを更に表示できる。そのために、処理器ユニット45は、充電する前に電圧検出器44により検出された電圧と、30秒充電した後の電圧とを比較する。充電中に電池ユニット41の電圧に異常に大幅な増加（例えば、0.05Vより大きい）を検出し、処理器ユニット45は、充電器42の充電が既に失敗したと判断し、充電器42の更なる充電を停止し、また、ランプ・ユニット62を制御し、電池ユニット41を取り替える必要があることを表示するブリンク・ライト（1秒毎に0.1秒のブリンクを3回行う）を発する。
【００２０】
本実施例の電力供給装置はオーバーロードから駆動ユニット5を保護することもできる。駆動ユニット5は稼動する場合、処理器ユニット45は、電圧検出器44を介して電池ユニット41の電圧を周期的（例えば、3秒の間隔で）に監視する。二つの連続的な監視値の差が閾値（例えば、0.55V）を超える場合、処理器ユニット45は、駆動ユニット5がオーバーロード（或いは故障）状態であると判断し、駆動ユニット5をオフし、モータ51への損害を防止する。
【００２１】
図4は、本考案の第二の好適な実施形態に係る図である。この好適な実施形態は、第一の好適な実施形態の変更である。本実施形態において、筐体3のハンドル部分31は、説明表示ユニット33と一体化形成される外表面を有する。説明表示ユニット33は、電池状態表示ユニット6の光の出力方法を表示する。好ましくは、説明表示ユニット33は、電池状態表示ユニット6の五つの異なる光の出力パターンを表示する五つの表示部分331〜335を含む。具体的には、表示部分331は、電池状態表示ユニット6が連続的な光を発するときに電池ユニット41が快速充電を行うことを表示し、表示部分332は、電池状態表示ユニット6がのろいフラッシュ・ライトを発する時に電池ユニット41が間欠充電を行うことを表示し、表示部分333は、電力供給装置が稼動する場合、電池状態表示ユニット6が連続的な光を発する時に電池ユニット41の残量が十分であることを表示し、表示部分334は、電力供給装置が稼動する場合、電池状態表示ユニット6が2回フラッシュする光を発する時に電池ユニット41の残量が不十分であることを表示し、また、表示部分335は、電池状態表示ユニット6がブリンク・ライトを発する時に電池ユニット41が取り替えられる必要があることを表示する。従って、説明表示ユニット33の表示により、ユーザは、マニュアルを参照しなくても、電池ユニット41の状態を確定することができる。
【００２２】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２３】
【図１】第一の好適な実施形態に係る電力供給装置の斜視図である。
【図２】第一の好適な実施形態に係る電力供給装置の側面図である。
【図３】第一の好適な実施形態に係る電力供給装置の機能図である。
【図４】第二の好適は実施形態に係る電力供給装置の側面図である。
【符号の説明】
【００２４】
2  工具ビット
3  筐体
4  電池式電力供給ユニット
5  駆動ユニット
6  電池状態表示ユニット
7  補助ランプ
31  ハンドル部分
32  銃身部分
33  説明表示ユニット
331〜335  表示部分
41  電池ユニット
42  充電器
43  入力パワー検出器
44  電圧検出器
45  処理器ユニット
51  モータ
52  スイッチ
53  ギア・セット
61  ユーザ操作ユニット
62  ランプ・ユニット
621  ランプ・ドライバー
622  発光ダイオード
【図１】
0003119778.tif 000003
【図２】
0003119778.tif 000004
【図３】
0003119778.tif 000005
【図４】
0003119778.tif 000006